(57)【要約】      （修正有）【課題】児童や女性、お年寄り等の力の弱い人でも、食品用缶詰の蓋又は飲料用缶のプルトップの夫々を容易に開栓することができ、かつ、飲料用ペットボトル等の螺合キャップを容易に弛緩することができる多機能性に優れたプルトップ及び螺合キャップの開栓用補助具を提供する。【解決手段】棒状の把手竿と、この把手竿の前方端に係止片を設けた開栓用補助具であって、係止片は、缶の上蓋とプルトップとの間隙に挿入可能に肉薄状に成形され、かつ、把手竿の後方に複数の孔を設け、これらの孔に紐を挿設する構成としたプルトップ又は螺合キャップの開栓用補助具である。【選択図】図６
0003129831.tif 000002
【実用新案登録請求の範囲】
【請求項１】
棒状の把手竿と、この把手竿の前方端に係止片を設けた開栓用補助具であって、
前記係止片は、缶の上蓋とプルトップとの間隙に挿入可能に肉薄状に成形され、
かつ、前記把手竿の後方に複数の孔を設け、
これらの孔に紐を挿設する構成としたことを特徴とするプルトップ又は螺合キャップの開栓用補助具。
【請求項２】
前記係止片には、
段差状のストッパーを設ける構成としたことを特徴とする請求項１記載のプルトップ又は螺合キャップの開栓用補助具。
【考案の詳細な説明】
【技術分野】
【０００１】
この考案は、食品用缶詰の蓋又は飲料用缶のプルトップの夫々を開くため、かつ、飲料用ペットボトルの螺合キャップを弛緩するために用いる開栓具に関する。詳しくは、児童やお年寄り等の力が弱い人でも、食品用缶詰の蓋又は飲料用缶のプルトップの夫々を容易に開栓することができ、かつ、飲料用ペットボトルの螺合キャップを容易に弛緩することのできる多機能性に優れた開栓用補助具に関する。
【背景技術】
【０００２】
飲料用缶等の上蓋の上面に設けられる一般的なプルトップは、指先や爪をタブのリング部に引っ掛けて手引き上げることにより、飲口部の栓体を切り離す機構になっている。しかし、缶の上蓋とプルトップとの隙間は、小さい近接状態になっているため、プルトップのリング部の端部に指や爪を引っ掛けてリング部を起き上げる動作は、児童や女性、お年寄り等の力の弱い人にとっては困難なものとなっている。また、爪を伸ばしている人の場合、開栓時に爪を傷めたりすることがある。また、お年寄りの場合、手先の震えのため、プルトップのタブに指や爪を挿入することが困難である。
【０００３】
そのため、児童やお年寄り等の力が弱い人でも容易にプルトップを引き上げて開栓することができる開栓用補助具が提案されている。即ち、缶のプルトップに缶の中心方向から挿入する係止片を本体の先端に有し、缶の開口する上蓋部に当接する位置には押圧片が形成されており、係止片とは反対側には把手部を備えており、係止片をプルトップに係合し、把手部を押し下げることにより押圧片を支点として係止片がプルトップを引き上げるとともに、押圧片が上蓋部を押し下げて開栓するという手段を採用している（例えば、特許文献１参照）。
【０００４】
【特許文献１】特開２００２−３７２５３号公報
【考案の開示】
【考案が解決しようとする課題】
【０００５】
以上の通りであって、特許文献１に代表されるように、従来のプルトップの開栓用補助具には、まとめると、次のような問題点がある。
【０００６】
即ち、従来のプルトップの開栓用補助具の問題点の第一は、一つの道具で食品用缶詰の蓋又は飲料用缶のプルトップの夫々を開栓するためには使い難い。
【０００７】
問題点の第二に、従来のプルトップの開栓用補助具は、食品用缶詰の蓋又は飲料用缶のプルトップを開栓するための専用具であって、プルトップの他に、飲料用ペットボトル等の螺合キャップを弛緩する等の用途に兼用することができない。
【０００８】
そこで、本考案のプルトップ及び螺合キャップの開栓用補助具は、従来の抱える問題点を解決するためになされたもので、児童や女性、お年寄り等の力の弱い人でも、容易に食品用缶詰の蓋又は飲料用缶のプルトップの夫々を開栓することができ、かつ、飲料用ペットボトル等の螺合キャップを容易に弛緩することができる多機能性に優れたプルトップ及び螺合キャップの開栓用補助具を提供することを目的としている。
【課題を解決するための手段】
【０００９】
そこで、本考案人等は、力の弱い児童や女性、お年寄りを対象として、梃子の働きに着目して開栓用補助具を試作したところ、使い勝手が非常に良いという知見を得た。本考案のプルトップ及び螺合キャップ兼用の開栓用補助具はかかる知見を基に具現化したもので、請求項１の考案は、棒状の把手竿と、この把手竿の前方端に係止片を設けた開栓用補助具であって、前記係止片は、缶の上蓋とプルトップとの間隙に挿入可能に肉薄状に成形され、かつ、前記把手竿の後方に複数の孔を設け、これらの孔に紐を挿設する構成としたことを特徴とするプルトップ又は螺合キャップの開栓用補助具である。
【００１０】
また、請求項２の考案は、請求項１の考案の上記特徴に加えて、前記係止片には、段差状のストッパーを設ける構成としたことを特徴とするプルトップ又は螺合キャップの開栓用補助具である。
【考案の効果】
【００１１】
本考案の開栓用補助具は、一つの道具で食品用缶詰および飲料用缶のいずれのプルトップをも開栓することができ、かつ、飲料用ペットボトルの螺合キャップを容易に弛緩することができる等多機能性に優れる。詳しくは、本考案の開栓用補助具の係合片は先端部が鋭角に先細りに形成されているのでプルトップのリング部と上蓋との隙間へ係合片を挿入し易い。そして、係合片にはストッパーを備えているのでプルトップとの位置決めが容易であり、手先の細かい作業が困難な人にとっても使い勝手がよい。また、長尺の把手竿を上下するだけで、児童やお年寄り等の力の弱い人でも梃子の働きによって、小さな力でプルトップを開栓することができる。更に、これらの効果に加えて、把手竿の後端に紐を通しただけの簡単な構成により、児童やお年寄り等の力の弱い人でも梃子の働きによって、小さな力で飲料用ペットボトルの螺合キャップを容易に弛緩することができる。所謂一つの道具で多用途に兼用できるという効果を奏するものである。
【考案を実施するための最良の形態】
【００１２】
本考案の実施の形態を、添付図面に示した本考案の実施例に基づいて以下に具体的に説明する。
【実施例１】
【００１３】
先ず、本考案の実施例について、図１〜図６を参照しながら説明する。図１は、本実施例に係る開栓用補助具本体の平面図である。図２は、同上、断面図である。図３は、同上、開栓用補助具の斜視図である。図４は、同上、食品用缶詰のプルトップへ開栓用補助具を挿通する状態を示す斜視図である。図５は、同上、開栓用補助具を使用して食品用缶詰の蓋を開栓する状態を示す斜視図である。図６は、同上、開栓用補助具を使用して食品用缶詰の蓋を、更に開栓する状態を示す斜視図である。
【００１４】
開栓用補助具の本体を図１及び図２に示す。これらの図のように、本体１１は棒状の把手竿１４と、この前方端に係止片１２と、後方に複数の孔１５と、この後方に後端部１６を備える。係止片１２は、段差を有するストッパー１３から先端に向かって先細であり、後方の複数の孔１５は把手竿１４の断面を貫通する。以上のように、本体１１は、長尺の把手竿１４の先端に係止片１２と、後端に複数の孔１５及び後端部１６を備えている。これらの他、把手竿１４の後方部は表面がローレット加工によりギザギザ模様が刻まれている。
【００１５】
次に、図３に示すように開栓用補助具１１は前述した構成に加えて、把手竿１４の後端に紐を挿設したものである。把手竿１４の後方部には孔１５、１５が貫通して開けられ、これらの孔に紐１７を挿通して紐の端部同士を蝶結びにして結び目１８を形成し、紐１７が把手竿１４から外れないようにする。把手竿１４の上方には、紐１７がリング状に輪１９が、下方には結び目１８が形成される。
【００１６】
開栓用補助具１０の係合片１２の先端部は挿通可能な肉薄片である。係止片１２は先細に形成されるが、児童やお年寄り等が使用するので、先端が針のように尖ったものは危険で好ましくない。プルトップと缶の上蓋との間の隙間に挿入可能なら係止片１２の先端形状は先細だけでなく、扁平な板状片又は上方に反って刳くり上げるような形状でも構わない。所謂、帯状の舌片形状で、湾曲された形状でも、あるいはフォークのように先端が枝分かれしていてもよい。
【００１７】
開栓用補助具の本体１１は鋼製であり、丸細の磨き棒鋼を使用する。係合片１２は挿入片として、上面を所定の厚さだけ切削又は鍛造によって先細に薄肉化の加工を施す。本体１１の材質は、先端の係止片１２の欠け、磨耗等の損耗を防止するために、鉄系の金属としたが、用途によっては錆防止のため、ステンレス、真鍮、チタン合金等の金属を使用することでも構わない。また、金属に限らず、把手竿部を木、竹製とし、先端に金属製の係止片を装着することにより、先端部の欠け、磨耗等の損耗を防止することができる。鋼の場合、焼き入れして硬度を上げ、耐摩耗性を向上させることも可能である。
【００１８】
開栓用補助具は以上のように構成され、次に、食品用缶詰の構成について図４を参照しながら説明する。缶３０は、上面を占める上蓋３１、この外周を取り巻く上蓋縁３２からなり、上蓋３１の中心から上蓋縁３２寄りに、プルトップ２０が形成され、これは上蓋縁３２寄りのタブ押え２３を介して上蓋３１に固着されている。本図では、缶３０におけるプルトップ２０のタブ押え２３の側から、開栓用補助具１０をリング部２２の輪の中へ挿通する状態を示す。先ず、開栓用補助具１０先端の係止片１２を、缶３０の上蓋３１の中心へ向けて把手竿１４を把持する。次に、係止片１２のストッパー１３を下方に向け、係止片１２をリング部２２と上蓋３１との間の隙間へ向けて挿通する際に、係止片１２をリング部２２の上方から輪の中を下方へ向けて貫通させ、係止片１２の先端をリング部２２の外へ出す。更に、把手竿１４を矢印Ｆの方向へ押し続け、ストッパー１３の段差部が対向する上蓋縁３２に当接するまで進める。このようにして、係止片１２はリング部２２の輪の中を通り抜け、上蓋３１の上蓋縁３２に当接する。次いで、缶３０の開蓋状態を図５から図６への進行形として示すように、ストッパー１３の段差部が上蓋縁３２に当接する接触点Ｐを支点として、把手竿１４を力Ｇの方向へ持ち上げる。このようにして、梃子の働きによって小さい力でプルトップ２０と連結した上蓋３１が反り返るようにして開く。把手竿１４の後方部は表面がローレット加工によりギザギザ模様が刻まれているので、手で掴んで操作中にすべり難く使い勝手がよい。
【実施例２】
【００１９】
次に、本考案の他の実施例について、図７、８を参照しながら説明する。図７は、飲料用缶のプルトップへ開栓用補助具を挿通する状態を示す斜視図である。
図８は、開栓用補助具を使用して飲料用缶のプルトップを開栓する状態を示す斜視図である。
【００２０】
本実施例の実施例１との主たる相違点は、開栓用補助具を使用して、食品用缶詰の蓋ではなく飲料用缶のプルトップを開栓するところにある。以下、前述した使い方と相違する箇所について主に説明する。
【００２１】
図７は、缶３０の上蓋３１の上方から見た図であり、缶３０は、上面を占める上蓋３１、この外周を取り巻く上蓋縁３２からなり、上蓋３１のほぼ中心にプルトップ２０が形成され、これは上蓋３１のほぼ中心のタブ押え２３を介して上蓋３１に固着されている。この図では、缶３０におけるプルトップ２０のリング部２２の側から、開栓用補助具１０先端の係止片１２をリング部２２へ挿通する状態を示す。先ず、係止片１２を缶３０の上蓋３１の中心へ向けて把手竿１４を把持する。次に、係止片１２のストッパー１３を上方に向けて、リング部２２と上蓋３１との間の隙間へ向けて矢印Ｆの方向へ押し、係止片１２をリング部２２の下方から輪の中を上方へ挿通させる。そして、係止片１２のストッパー１３の段差部がリング部２２に当接するまで矢印Ｆの方向へ把手竿１４を押す。この時、図８に示すように、係止片１２はリング部２２の輪の中を下方から上方へ挿通され、ストッパー１３の段差部がリング部２２の接触点Ｑに当接して止まる。次いで、ストッパー１３の段差部を接触点Ｑに当接させたまま、把手竿１４を力Ｇの方向へ持ち上げる。この時、ストッパー１３により係止片１２の位置が接触点Ｑに固定されたまま、一方、係止片１２の裏側がリング部２２の内側の接触点Ｒに当接する。従って、係止片１２が接触点Ｑ、Ｒによって拘束された状態で把手竿１４が持ち上げられるので、一方、これと反対端の係止片１２は下がる。この時、プルトップ２０も一緒に下がるので栓体３３がプルトップ２０に押されるように缶３０の内側へ曲がる。ここで、缶３０の上蓋３１には、栓体３３を象る切断目が施されているので、栓体３３が上蓋３１から剥がれるようにして缶３０の内側へ折り曲げられる。その結果、栓体３３の跡に孔状の飲口部が形成され、缶３０の飲料水を飲むことができる。このように、開栓用補助具１０は児童やお年寄り等の力の弱い人や、手先の細かい作業が困難な人にも取扱いが容易であり、これを用いることにより誰でも簡単に、爪を傷つけることもなく、プルトップ２０を開栓することができる。
【実施例３】
【００２２】
本考案の他の実施例について、図９、１０を参照しながら説明する。図９は、開栓用補助具を使用してボトルのキャップを弛緩するための準備状態を示す斜視図である。図１０は、開栓用補助具を使用してボトルのキャップを弛緩する状態を示す斜視図である。
【００２３】
本実施例の実施例１、２との主たる相違点は、開栓用補助具を使用して缶のプルトップではなくボトルのキャップを弛緩するところにある。以下、前述した使い方と相違する箇所について主に説明する。
【００２４】
図９に示すように、開栓用補助具１０の後端に設けた孔１５、１５に紐１７を挿通させることにより形成された輪１９を、ボトル４０のキャップ４１の上方からキャップ４１の外周部に嵌め込む。次いで、結び目１８の位置を中心として開栓用補助具１０の把手竿１４を矢印Ｒの方向に垂直面の回動をさせることにより、緩めの輪１９が縮小されてキャップ４１の外周が堅く締め付けられる。この後、図１０に示すように、キャップ４１の上面と把手竿１４とが略平行になるようにして、今度は力Ｇ方向に把手竿１４を回動する。ここで、キャップ４１は、内側に螺子を切った頭部４２と根元部４３とが一体成形されている。把手竿１４を力Ｇ方向に回動することにより、キャップの頭部４２の外周面と紐の輪１９との摩擦抵抗により、頭部４２の内螺子が緩んで根元部４３から切り離される。長尺の開栓用補助具１０を回動し、紐の結び目１８を支点として開栓用補助具１０に力Ｆを加えるので、梃子の働きで小さな力で頭部４２の螺子を緩めることができる。
【産業上の利用可能性】
【００２５】
なお、本考案の開栓具補助具は、食品用缶詰又は飲料用缶のプルトップや飲料用ペットボトルの螺合キャップを弛緩するためだけではなく、ギフト用の缶詰のプルトップやアルコール類の瓶又は調味料等の瓶の螺合キャップを開栓するために用途を拡大可能である。児童やお年寄り等の力が弱い人にとって使い易いので、学校、養護施設、介護施設等の公的機関での使用が期待できる。
【図面の簡単な説明】
【００２６】
【図１】本考案の実施例１係る開栓用補助具本体の平面図である。
【図２】同上、断面図である。
【図３】同上、開栓用補助具の斜視図である。
【図４】同上、食品用缶詰のプルトップへ開栓用補助具を挿通する状態を示す斜視図である。
【図５】同上、開栓用補助具を使用して食品用缶詰の蓋を開栓する状態を示す斜視図である。
【図６】同上、開栓用補助具を使用して食品用缶詰の蓋を、更に開栓する状態を示す斜視図である。
【図７】同上、実施例２に係り、飲料用缶のプルトップへ開栓用補助具を挿通する状態を示す斜視図である。
【図８】同上、開栓用補助具を使用して飲料用缶のプルトップを開栓する状態を示す斜視図である。
【図９】同上、実施例３に係り、開栓用補助具を使用してボトルのキャップを弛緩するための準備状態を示す斜視図である。
【図１０】同上、開栓用補助具を使用してボトルのキャップを弛緩する状態を示す斜視図である。
【符号の説明】
【００２７】
Ｆ  矢印
Ｇ  力
Ｐ、Ｑ、Ｒ  接触点
Ｒ  矢印
１０  開栓用補助具
１１  本体
１２  係止片
１３  ストッパー
１４  把手竿
１５  孔
１６  後端部
１７  紐
１８  結び目
１９  輪
２０  プルトップ
２１  タブ
２２  リング部
２３  タブ押え
３０  缶
３１  上蓋
３２  上蓋縁
３３  栓体
４０  ボトル
４１  キャップ
４２  頭部
４３  根元部
【図１】
0003129831.tif 000003
【図２】
0003129831.tif 000004
【図３】
0003129831.tif 000005
【図４】
0003129831.tif 000006
【図５】
0003129831.tif 000007
【図６】
0003129831.tif 000008
【図７】
0003129831.tif 000009
【図８】
0003129831.tif 000010
【図９】
0003129831.tif 000011
【図１０】
0003129831.tif 000012